(57)【要約】本発明は、通信リンク管理方法、装置、システムおよびコンピュータ記憶媒体を開示する。前記方法は、シンク機器が、受信された信号の異なる送信方向の経路品質および前記信号の受信方向に対応する経路品質に基づいて、通信リンクの送信方向および受信方向を確定するステップ１０１と、前記シンク機器が前記確定された受信方向に基づいて通信リンクを確立するステップ１０２とを含む。【選択図】図１
2017500783.tif 000002
【特許請求の範囲】
【請求項１】
通信リンク管理方法であって、
シンク機器が、受信された信号の異なる送信方向の経路品質、および前記信号の受信方向に対応する経路品質に基づいて、通信リンクの送信方向および受信方向を確定することと、
前記シンク機器が前記確定された受信方向に基づいて通信リンクを確立することとを含む、通信リンク管理方法。
【請求項２】
前記シンク機器が、受信された信号の送信方向に対応する経路品質および前記信号の受信方向に対応する経路品質に基づいて、通信リンクの送信方向および受信方向を確定することは、
前記シンク機器が、受信された信号に対応する異なる送信方向のうちの経路品質が第一の閾値より高い送信方向を通信リンクの送信方向に確定し、そして前記経路品質が第一の閾値より高い送信方向に対応する受信方向のうちの、経路品質が第二の閾値より高い受信方向を通信リンクの受信方向に確定することを含むことを特徴とする
請求項１に記載の方法。
【請求項３】
前記方法は、前記シンク機器が、確定された送信方向および受信方向を合格経路として合格経路リストに記憶することをさらに含むことを特徴とする
請求項２に記載の方法。
【請求項４】
前記シンク機器が、受信された信号に対応する異なる送信方向のうちの経路品質が第一の閾値より高い送信方向を通信リンクの送信方向に確定する前に、前記方法は、
前記シンク機器が異なる送信方向に対応する信号を受信し、前記送信方向のうちの経路品質が第一の閾値より高い送信方向を確定することと、
確定された経路品質が前記第一の閾値より高い送信方向を使用して信号を送信する、第一の命令を送信することとをさらに含むことを特徴とする
請求項２に記載の方法。
【請求項５】
前記経路品質が第一の閾値より高い送信方向に対応する受信方向のうちの、経路品質が第二の閾値より高い受信方向を通信リンクの受信方向に確定する前に、前記方法は、
前記シンク機器が、異なる受信方向を使用して経路品質が前記第一の閾値より高い送信方向の信号を受信し、使用された受信方向のうちの経路品質が前記第二の閾値より高い受信方向を確定することをさらに含むことを特徴とする
請求項２に記載の方法。
【請求項６】
前記シンク機器により受信された信号は、同期情報を含み、
それに対応して、前記シンク機器が異なる受信方向を使用して経路品質が前記第一の閾値より高い送信方向の信号を受信することは、
前記シンク機器が現在のフレームの信号に含まれている同期情報に基づいて、現在のフレームの次のフレームの送信時点に、異なる受信方向を使用して経路品質が前記第一の閾値より高い送信方向の信号を受信することを含むことを特徴とする
請求項５に記載の方法。
【請求項７】
前記シンク機器が前記確定された受信方向に基づいて通信リンクを確立することは、前記シンク機器が以下の方式のうちの一つを使用して通信リンクを確立することを含み、
前記方式は、
前記合格経路リストにおける合格経路に対応する受信方向を使用して通信リンクを確立し、そして選択された合格経路における送信方向を使用して通信リンクを確立する、第二の命令を送信すること、
前記合格経路リストを送信し、第三の命令を受信し、前記第三の命令に指示された受信方向に基づいて通信リンクを確立すること、
前記合格経路リストにおける合格経路を選択することに対する協議を開始し、前記合格経路リストに使用された合格経路を確定し、確定された合格経路の受信方向を使用して通信リンクを確立することであることを特徴とする
請求項３に記載の方法。
【請求項８】
現在の通信リンクの送信方向の経路品質が前記第一の閾値より低い、および／または現在の通信リンクの受信方向の経路品質が前記第二の閾値より低い場合、前記方法は、前記シンク機器が以下の操作の一つを実行して通信リンクを再確立することをさらに含み、
前記操作は、
現在の使用された経路を前記合格経路リストから削除し、前記合格経路リストから合格経路を選択し、選択された合格経路の送信方向を使用する第四の命令を送信すること、
前記合格経路リストを送信し、第五の命令を受信し、前記第五の命令に指示された受信方向に基づいて通信リンクを確立すること、
現在の使用された経路を前記合格経路リストから削除し、前記合格経路リストにおける合格経路を選択することに対する協議を開始し、前記合格経路リストに使用された合格経路を確定し、確定された合格経路の受信方向を使用して通信リンクを確立することであることを特徴とする
請求項３に記載の方法。
【請求項９】
前記シンク機器が通信リンクの送信方向および受信方向を確定する前に、前記方法は、前記シンク機器が以下の方式のうちの一つを使用して信号を受信することをさらに含み、
前記方式は、
異なる受信方向をランダムに使用して信号を受信すること、
予め設定された順番に基づいて異なる受信方向を使用して信号を受信することと、
予め設定された時間内に経路品質が前記第一の閾値より高い信号の送信方向に対応する第一の領域を確定し、そして前記第一の領域での信号の送信を継続する第六の命令を送信すること、
予め設定された時間内に経路品質が前記第一の閾値より低い信号の送信方向に対応する第二の領域を確定し、そして前記第二の領域での信号の送信を停止する第七の命令を送信すること、
異なる送信方向の経路品質を送信し、受信された第八の命令に応じて、前記第八の命令に指示された第三の領域での信号の受信を継続すること、
異なる送信方向の経路品質を送信し、受信された第九の命令に応じて、前記第九の命令に指示された第四の領域での信号の受信を停止することであることを特徴とする
請求項１〜８のいずれか１項に記載の方法。
【請求項１０】
通信リンク管理方法であって、
ソース機器が異なる送信方向を使用して信号を送信し、前記信号の異なる送信方向の経路品質、および前記信号の受信方向に対応する経路品質が通信リンクの送信方向を確定することに用いられることと、
前記ソース機器が前記確定された送信方向に基づいて通信リンクを確立することとを含む、通信リンク管理方法。
【請求項１１】
前記ソース機器が異なる送信方向を使用して信号を送信した後、前記方法は、
前記ソース機器が第一の命令を受信し、前記命令が、経路品質が第一の閾値より高い送信方向の情報を指示することと、
前記第一の命令に指示された送信方向を使用して信号を送信することとをさらに含むことを特徴とする
請求項１０に記載の方法。
【請求項１２】
前記ソース機器が前記確定された送信方向に基づいて通信リンクを確立することは、前記ソース機器が以下の方式のうちの一つを使用して通信リンクを確立することを含み、
前記方式は、
第二の命令を受信し、前記第二の命令に指示された送信方向に基づいて通信リンクを確立すること、
合格経路リストを受信し、前記合格経路リストに基づいて合格経路を確定し、そして確定された合格経路の受信方向を使用して通信リンクを確立する命令を送信すること、
前記合格経路リストにおける合格経路を選択することに対する協議を開始し、前記合格経路リストに基づいて使用された合格経路を確定し、そして確定された合格経路の送信方向を使用して通信リンクを確立することであることを特徴とする
請求項１０に記載の方法。
【請求項１３】
現在の通信リンクの送信方向の経路品質が前記第一の閾値より低い、および／または現在の通信リンクの受信方向の経路品質が前記第二の閾値より低い場合、前記方法は、前記ソース機器が以下の方式のうちの一つを使用して通信リンクを再確立することをさらに含み、
前記方式は、
第四の命令を受信し、前記第四の命令に指示された送信方向に基づいて通信リンクを再確立すること、
合格経路リストを受信し、前記合格経路リストから現在の経路を削除し、そして前記合格経路リストから合格経路を選択し、選択された合格経路の受信方向を使用する第五の命令を送信すること、
合格経路リストを受信し、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することであることを特徴とする
請求項１０に記載の方法。
【請求項１４】
前記ソース機器が異なる送信方向を使用して信号を送信する方式は、
異なる送信方向をランダムに使用して信号を送信することと、
予め設定された順番に基づいて異なる送信方向を使用して信号を送信することと、
第六の命令を受信し、前記第六の命令に指示された第一の領域での信号の送信を継続することと、
第七の命令を受信し、前記第七の命令に指示された第二の領域での信号の送信を停止することと、
異なる送信方向の経路品質を受信し、経路品質が前記第一の閾値より高い送信方向の第五の領域を確定し、確定された第五の領域での信号の送信を継続し、予め設定された時間内に経路品質が前記第二の閾値より低い信号の受信方向に対応する第三の領域を確定し、そして前記第三の領域での信号の受信を継続する第八の命令を送信することと、
異なる送信方向の経路品質を受信し、経路品質が前記第一の閾値より低い送信方向の前記第六の領域を確定し、確定された第六の領域での信号の送信を継続し、予め設定された時間内に経路品質が前記第二の閾値より低い信号の受信方向に対応する第四の領域を確定し、そして前記第四の領域での信号の受信を停止する第九の命令を送信することとを含むことを特徴とする
請求項１０〜１３のいずれか１項に記載の方法。
【請求項１５】
通信リンク管理方法であって、
ソース機器が異なる送信方向を使用してシンク機器へ信号を送信し、シンク機器が、受信された信号の異なる送信方向の経路品質および前記受信された信号の受信方向に対応する経路品質に基づいて、通信リンクの送信方向および受信方向を確定することと、
前記ソース機器が前記確定された送信方向を使用して通信リンクを確立し、前記シンク機器が前記確定された受信方向を使用して通信リンクを確立することとを含む、通信リンク管理方法。
【請求項１６】
前記シンク機器が受信された信号の送信方向に対応する経路品質および前記信号の受信方向に対応する経路品質に基づいて、通信リンクの送信方向および受信方向を確定することは、
前記シンク機器が、受信された信号に対応する異なる送信方向のうちの経路品質が第一の閾値より高い送信方向を通信リンクの送信方向に確定し、そして前記経路品質が第一の閾値より高い送信方向に対応する受信方向のうちの経路品質が第二の閾値より高い受信方向を通信リンクの受信方向に確定することを含むことを特徴とする
請求項１５に記載の方法。
【請求項１７】
前記方法は、
前記シンク機器が、確定された送信方向および受信方向を合格経路として合格経路リストに記憶することをさらに含むことを特徴とする
請求項１６に記載の方法。
【請求項１８】
前記シンク機器が、受信された信号に対応する異なる送信方向のうちの経路品質が第一の閾値より高い送信方向を通信リンクの送信方向に確定する前に、前記方法は、
前記シンク機器が異なる送信方向に対応する信号を受信し、前記送信方向のうちの経路品質が第一の閾値より高い送信方向を確定することと、
前記ソース装置へ確定された経路品質が前記第一の閾値より高い送信方向を使用して信号を送信する、第一の命令を送信することと、
前記ソース装置が前記命令に指示された送信方向を使用して信号を送信することとをさらに含むことを特徴とする
請求項１６に記載の方法。
【請求項１９】
前記ソース機器が前記確定された送信方向を使用して通信リンクを確立し、前記シンク機器が前記確定された受信方向を使用して通信リンクを確定することは、
前記ソース機器と前記シンク機器が以下の方式のうちの一つを使用して通信リンクを確立することを含み、
前記方式は、
前記シンク機器が前記合格経路リストにおける合格経路に対応する受信方向を使用して通信リンクを確立し、そして前記ソース機器へ選択された合格経路における送信方向を使用して通信リンクを確立する第二の命令を送信し、前記ソース機器が前記第二の命令に指示された送信方向に基づいて通信リンクを確立すること、
前記シンク機器が前記ソース機器へ前記合格経路リストを送信し、前記ソース機器が前記合格経路リストに基づいて合格経路を確定し、そして前記シンク機器へ確定された合格経路の受信方向を使用して通信リンクを確立する第三の命令を送信し、前記シンク機器が前記第三の命令に指示された受信方向に基づいて通信リンクを確立すること、
前記ソース機器と前記シンク機器が前記合格経路リストにおける合格経路を選択することに対する協議を開始し、合格経路リストに基づいて使用された合格経路を確定し、前記シンク機器が確定された合格経路の受信方向を使用して通信リンクを確立し、前記ソース機器が確定された合格経路の送信方向を使用して通信リンクを確立することであることを特徴とする
請求項１６に記載の方法。
【請求項２０】
現在の通信リンクの送信方向の経路品質が前記第一の閾値より低い、および／または現在の通信リンクの受信方向の経路品質が前記第二の閾値より低い場合、前記方法は、前記ソース機器と前記シンク機器が以下の方式のうちの一つを使用して通信リンクを再確立することをさらに含み、
前記方式は、
前記シンク機器が現在の使用された経路を前記合格経路リストから削除し、そして前記合格リストから合格経路を選択し、前記ソース機器へ選択された合格経路の送信方向を使用する第四の命令を送信し、前記ソース機器が前記第四の命令に指示された送信方向に基づいて通信リンクを再確立すること、
前記シンク機器が前記ソース機器へ前記合格経路リストを送信し、前記ソース機器が前記合格経路リストから現在の経路を削除し、そして前記合格経路リストから合格経路を選択し、前記シンク機器へ選択された合格経路の受信方向を使用する第五の命令を送信し、前記シンク機器が前記第五の命令に指示された受信方向に基づいて通信リンクを確立すること、
前記シンク機器が現在の使用された経路を前記合格経路リストから削除し、そして前記ソース機器へ前記合格経路リストにおける合格経路を選択することに対する協議を開始し、前記合格経路リストに使用された合格経路を確定し、それによって前記シンク機器が確定された合格経路の受信方向を使用して通信リンクを確立し、前記ソース機器が確定された合格経路の送信方向を使用して通信リンクを確立すること、
前記シンク機器が前記合格経路リストを前記ソース機器に送信し、前記ソース機器が前記合格経路リストから現在の経路を削除し、前記シンク機器へ前記合格経路リストにおける合格経路を選択することに対する協議を開始し、前記シンク機器が確定された合格経路の受信方向を使用して通信リンクを確立し、前記ソース機器が確定された合格経路の送信方向を使用して通信リンクを確立することであることを特徴とする
請求項１６〜１９のいずれか１項に記載の方法。
【請求項２１】
シンク機器であって、
信号を受信するように構成される第一の通信ユニットと、
前記第一の通信ユニットにより受信された信号の異なる送信方向の経路品質および前記信号の受信方向に対応する経路品質に基づいて、通信リンクの送信方向および受信方向を確定するように構成される第一の確定ユニットと、
前記確定された送信方向および受信方向に基づいて通信リンクを確立するように構成される第一の確立ユニットとを含む、シンク機器。
【請求項２２】
前記第一の確定ユニットは、さらに受信された信号に対応する異なる送信方向のうちの経路品質が第一の閾値より高い送信方向を通信リンクの送信方向に確定し、そして前記経路品質が第一の閾値より高い送信方向に対応する受信方向のうちの、経路品質が第二の閾値より高い受信方向を通信リンクの受信方向に確定するように構成されることを特徴とする
請求項２１に記載のシンク機器。
【請求項２３】
前記第一の確定ユニットは、さらに確定された送信方向および受信方向を合格経路として合格経路リストに記憶するように構成されることを特徴とする
請求項２２に記載のシンク機器。
【請求項２４】
前記第一の通信ユニットは、さらに異なる送信方向に対応する信号を受信するように構成され、
前記第一の確定ユニットは、さらに前記送信方向における経路品質が第一の閾値より高い送信方向を確定し、そして確定された経路品質が前記第一の閾値より高い送信方向を使用して信号を送信する第一の命令を送信するように前記第一の通信ユニットをトリガするように構成されることを特徴とする
請求項２２に記載のシンク機器。
【請求項２５】
第一の通信ユニットは、さらに異なる受信方向を使用して経路品質が前記第一の閾値より高い送信方向の信号を受信するように構成され、
前記第一の確定ユニットは、さらに前記第一の通信ユニットに使用された受信方向のうちの経路品質が前記第二の閾値より高い受信方向を確定するように構成されることを特徴とする
請求項２２に記載のシンク機器。
【請求項２６】
前記第一の通信ユニットにより受信された信号は、同期情報を含み、
前記第一の確定ユニットは、さらに現在のフレームの信号に含まれている同期情報に基づいて、現在のフレームの次のフレームの送信時点に、異なる受信方向を使用して経路品質が前記第一の閾値より高い送信方向の信号を受信するように前記第一の通信ユニットをトリガするように構成されることを特徴とする
請求項２５に記載のシンク機器。
【請求項２７】
前記第一の確立ユニットは、さらに以下の操作のうちの一つを実行して通信リンクを確立するように構成され、
前記操作は、
前記合格経路リストにおける合格経路に対応する受信方向を使用して通信リンクを確立し、そして選択された合格経路における送信方向を使用して通信リンクを確立する第二の命令を送信するように前記第一の通信ユニットをトリガすること、
前記合格経路リストを送信するように前記第一の通信ユニットをトリガし、前記第一の通信ユニットにより受信された第三の命令に指示された受信方向に基づいて通信リンクを確立すること、
前記合格経路リストにおける合格経路を選択することに対する協議を開始するように前記第一の通信ユニットをトリガし、前記合格経路リストに使用された合格経路を確定し、確定された合格経路の受信方向を使用して通信リンクを確立することであることを特徴とする
請求項２３に記載のシンク機器。
【請求項２８】
前記第一の確立ユニットは、さらに現在の通信リンクの送信方向の経路品質が前記第一の閾値より低い、および／または現在の通信リンクの受信方向の経路品質が前記第二の閾値より低い場合、以下の操作のうちの一つを実行して通信リンクを再確立するように構成され、
前記操作は、
現在の使用された経路を前記合格経路リストから削除し、そして前記合格経路リストから合格経路を選択し、選択された合格経路の送信方向を使用する第四の命令を送信するように前記第一の通信ユニットをトリガすること、
前記合格経路リストを送信するように前記第一の通信ユニットをトリガし、そして前記第一の通信ユニットにより受信された第五の命令に指示された受信方向に基づいて通信リンクを確立すること、
現在の使用された経路を前記合格経路リストから削除し、そして前記合格経路リストにおける合格経路を選択することに対する協議を開始するように前記第一の通信ユニットをトリガし、前記合格経路リストに使用された合格経路を確定し、確定された合格経路の受信方向を使用して通信リンクを確立することであることを特徴とする
請求項２３に記載のシンク機器。
【請求項２９】
前記第一の確定ユニットは、さらに通信リンクの送信方向および受信方向を確定する前に、以下の操作のうちの一つを実行して信号を受信するように構成され、
前記操作は、
異なる受信方向をランダムに使用して信号を受信するように前記第一の通信ユニットをトリガすること、
予め設定された順番に基づいて異なる受信方向を使用して信号を受信するように前記第一の通信ユニットをトリガすること、
予め設定された時間内に経路品質が前記第一の閾値より高い信号の送信方向に対応する第一の領域を確定し、そして前記第一の領域での信号の送信を継続する第六の命令を送信するように前記第一の通信ユニットをトリガすること、
予め設定された時間内に経路品質が前記第一の閾値より低い信号の送信方向に対応する第二の領域を確定し、そして前記第二の領域での信号の送信を継続することを停止する第七の命令を送信するように前記第一の通信ユニットをトリガすること、
異なる送信方向の経路品質を送信するように前記第一の通信ユニットをトリガし、そして受信された第八の命令に応じて、前記第八の命令に指示された第三の領域での信号の受信を継続すること、
異なる送信方向の経路品質を送信するように前記第一の通信ユニットをトリガし、受信された第九の命令に応じて、前記第九の命令に指示された第四の領域で信号を受信することであることを特徴とする
請求項２１〜２８のいずれか１項に記載のシンク機器。
【請求項３０】
ソース機器であって、
異なる送信方向を使用して信号を送信するように構成される第二の通信ユニットと、
前記信号の異なる送信方向の経路品質および前記信号の受信方向に対応する経路品質に基づいて、通信リンクの送信方向を確定するように構成される第二の確定ユニットと、
前記ソース機器が前記確定された送信方向に基づいて通信リンクを確立するように構成される第二の確立ユニットとを含む、ソース機器。
【請求項３１】
前記第二の通信ユニットは、さらに異なる送信方向を使用して信号を送信した後に第一の命令を受信するように構成され、前記第一の命令が、経路品質が第一の閾値より高い送信方向の情報を指示し、
前記第一の命令に指示された送信方向を使用して信号を送信するように構成されることを特徴とする
請求項３０に記載のソース機器。
【請求項３２】
前記第二の確立ユニットは、さらに以下の操作のうちの一つを実行して通信リンクを確立するように構成され、
前記操作は、
第二の命令を受信するように前記第二の通信ユニットをトリガし、前記第二の命令に指示された送信方向に基づいて通信リンクを確立すること、
合格経路リストを受信するように前記第二の通信ユニットをトリガし、前記合格経路リストに基づいて合格経路を確定し、確定された合格経路の受信方向を使用して通信リンクを確立する第三の命令を送信するように前記第二の通信ユニットをトリガすること、
前記合格経路リストにおける合格経路を選択することに対する協議を開始するように前記第二の通信ユニットをトリガし、前記合格経路リストに基づいて使用された合格経路を確定し、そして確定された合格経路の送信方向を使用して通信リンクを確立することであることを特徴とする
請求項３０に記載のソース機器。
【請求項３３】
前記第二の確立ユニットは、さらに現在の通信リンクの送信方向の経路品質が前記第一の閾値より低い、および／または現在の通信リンクの受信方向の経路品質が前記第二の閾値より低い場合、以下の方式のうちの一つを使用して通信リンクを再確立するように構成され、
前記操作は、
第四の命令を受信するように前記第二の通信ユニットをトリガし、前記第四の命令に指示された送信方向に基づいて通信リンクを再確立すること、
合格経路リストを受信するように前記第二の通信ユニットをトリガし、前記合格経路リストから現在の経路を削除し、そして前記合格経路リストから合格経路を選択し、確定された合格経路の受信方向を使用する第五の命令を送信すること、
合格経路リストを受信するように前記第二の通信ユニットをトリガし、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することであることを特徴とする
請求項３０に記載のソース機器。
【請求項３４】
前記第二の通信ユニットは、さらに異なる送信方向を使用して信号を送信する場合、以下の方式のうちの一つを使用するように構成され、
前記方式は、
異なる送信方向をランダムに使用して信号を送信すること、
予め設定された順番に基づいて異なる送信方向を使用して信号を送信すること、
第六の命令を受信し、前記命令に指示された第一の領域での信号の送信を継続すること、
第七の命令を受信し、前記第七の命令に指示された第二の領域での信号の送信を停止すること、
異なる送信方向の経路品質を受信し、経路品質が前記第一の閾値より高い送信方向の第五の領域を確定するように前記第二の確定ユニットをトリガし、そして前記確定された第五の領域での信号の送信を継続し、予め設定された時間内に経路品質が前記第二の閾値より低い信号の受信方向に対応する第三の領域を確定するように前記第二の確定ユニットをトリガし、前記第三の領域での信号の受信を継続する第八の命令を送信すること、
異なる送信方向の経路品質を受信し、経路品質が前記第一の閾値より低い送信方向の前記第六の領域を確定するように前記第二の確定ユニットをトリガし、前記確定された第六の領域での信号の送信を継続し、予め設定された時間内に経路品質が前記第二の閾値より低い信号の受信方向に対応する第四の領域を確定するように前記第二の確定ユニットをトリガし、そして前記第四の領域での信号の受信を継続することを停止する第九の命令を送信することであることを特徴とする
請求項３０〜３３のいずれか１項に記載のソース機器。
【請求項３５】
通信リンク管理システムであって、
受信された信号の異なる送信方向の経路品質および前記信号の受信方向に対応する経路品質に基づいて、通信リンクの送信方向および受信方向を確定し、前記確定された送信方向および受信方向に基づいて通信リンクを確立するように構成されるシンク機器と、
異なる送信方向を使用して信号を送信するように構成され、前記信号の異なる送信方向の経路品質および前記信号の受信方向に対応する経路品質が通信リンクの送信方向を確定することに用いられるソース機器とを含む、通信リンク管理システム。
【請求項３６】
前記シンク機器は、さらに受信された信号に対応する異なる送信方向のうちの経路品質が第一の閾値より高い送信方向を通信リンクの送信方向に確定し、そして前記経路品質が第一の閾値より高い送信方向に対応する受信方向のうちの経路品質が第二の閾値より高い受信方向を通信リンクの受信方向に確定するように構成されることを特徴とする
請求項３５に記載のシステム。
【請求項３７】
前記シンク機器は、さらに確定された送信方向および受信方向を合格経路として合格経路リストに記憶するように構成されることを特徴とする
請求項３６に記載のシステム。
【請求項３８】
前記シンク機器は、さらに異なる送信方向に対応する信号を受信し、前記送信方向における経路品質が第一の閾値より高い送信方向を確定し、
確定された経路品質が前記第一の閾値より高い送信方向を使用して信号を送信する第一の命令を送信するように構成されることを特徴とする
請求項項３６に記載のシステム。
【請求項３９】
前記シンク機器は、さらに異なる受信方向を使用して経路品質が前記第一の閾値より高い送信方向の信号を受信し、使用された受信方向における経路品質が前記第二の閾値より高い受信方向を確定するように構成されることを特徴とする
請求項３６に記載のシステム。
【請求項４０】
前記シンク機器により受信された信号は、同期情報を含み、
それに対応して、前記シンク機器は、さらに現在のフレームの信号に含まれている同期情報に基づいて、現在のフレームの次のフレームの送信時点に、異なる受信方向を使用して経路品質が前記第一の閾値より高い送信方向の信号を受信するように構成されることを特徴とする
請求項３９に記載のシステム。
【請求項４１】
前記シンク機器は、さらに通信リンクを確立する場合に以下の方式のうちの一つを使用するように構成され、
前記方式は、
前記合格経路リストにおける合格経路に対応する受信方向を使用して通信リンクを確立し、選択された合格経路における送信方向を使用して通信リンクを確立する第二の命令を送信すること、
前記合格経路リストを送信し、第三の命令を受信し、前記第三の命令に指示された受信方向に基づいて通信リンクを確立すること、
前記合格経路リストにおける合格経路を選択することに対する協議を開始し、前記合格経路リストに使用された合格経路を確定し、確定された合格経路の受信方向を使用して通信リンクを確立することであることを特徴とする
請求項３７に記載のシステム。
【請求項４２】
前記シンク機器は、さらに現在の通信リンクの送信方向の経路品質が前記第一の閾値より低い、および／または現在の通信リンクの受信方向の経路品質が前記第二の閾値より低い場合、以下の方式のうちの一つを使用して通信リンクを再確立するように構成され、
前記方式は、
現在の使用された経路を前記合格経路リストから削除し、そして前記合格経路リストから合格経路を選択し、選択された合格経路の送信方向を使用する第四の命令を送信すること、
前記合格経路リストを送信し、第五の命令を受信し、前記第五の命令に指示された受信方向に基づいて通信リンクを確立すること、
現在の使用された経路を前記合格経路リストから削除し、前記合格経路リストにおける合格経路を選択することに対する協議を開始し、前記合格経路リストに使用された合格経路を確定し、確定された合格経路の受信方向を使用して通信リンクを確立することであることを特徴とする
請求項３７に記載のシステム。
【請求項４３】
前記シンク機器は、さらに通信リンクの送信方向および受信方向を確定する前に信号を受信する場合、以下の方式のうちの一つを使用して信号を受信するように構成され、
前記方式は、
異なる受信方向をランダムに使用して信号を受信すること、
予め設定された順番に基づいて異なる受信方向を使用して信号を受信すること、
予め設定された時間内に経路品質が前記第一の閾値より高い信号の送信方向に対応する第一の領域を確定し、前記第一の領域での信号の送信を継続する第六の命令を送信すること、
予め設定された時間内に経路品質が前記第一の閾値より低い信号の送信方向に対応する第二の領域を確定し、前記第二の領域での信号の送信を継続することを停止する第七の命令を送信すること、
異なる送信方向の経路品質を送信し、受信された第八の命令に応じて、前記第八の命令に指示された第三の領域での信号の受信を継続すること、
異なる送信方向の経路品質を送信し、受信された第九の命令に応じて、前記第九の命令に指示された第四の領域での信号の受信を停止することであることを特徴とする
請求項３５に記載のシステム。
【請求項４４】
前記ソース機器は、さらに異なる送信方向を使用して信号を送信した後、第一の命令を受信するように構成され、前記命令が、経路品質が第一の閾値より高い送信方向の情報を指示し、
前記第一の命令に指示された送信方向を使用して信号を送信するように構成されることを特徴とする
請求項３５に記載のシステム。
【請求項４５】
前記ソース機器は、さらに以下の方式のうちの一つを使用して通信リンクを確立するように構成され、
前記方式は、
第二の命令を受信し、前記第二の命令に指示された送信方向に基づいて通信リンクを確立すること、
合格経路リストを受信し、前記合格経路リストに基づいて合格経路を確定し、確定された合格経路の受信方向を使用して通信リンクを確立する第三の命令を送信すること、
前記合格経路リストにおける合格経路を選択することに対する協議を開始し、前記合格経路リストに基づいて使用された合格経路を確定し、確定された合格経路の送信方向を使用して通信リンクを確立することであることを特徴とする
請求項３５に記載のシステム。
【請求項４６】
前記ソース機器は、さらに現在の通信リンクの送信方向の経路品質が前記第一の閾値より低い、および／または現在の通信リンクの受信方向の経路品質が前記第二の閾値より低い場合、以下の方式のうちの一つを使用して通信リンクを再確立するように構成され、
前記方式は、
第四の命令を受信し、前記第四の命令に指示された送信方向に基づいて通信リンクを再確立すること、
合格経路リストを受信し、前記合格経路リストから現在の経路を削除し、前記合格経路リストから合格経路を選択し、選択された合格経路の受信方向を使用する第五の命令を送信すること、
合格経路リストを受信し、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することであることを特徴とする
請求項３５に記載のシステム。
【請求項４７】
前記ソース機器は、さらに異なる送信方向を使用して信号を送信する場合、以下の方式のうちの一つを使用するように構成され、
前記方式は、
異なる送信方向をランダムに使用して信号を送信すること、
予め設定された順番に基づいて異なる送信方向を使用して信号を送信すること、
第六の命令を受信し、前記第六の命令に指示された第一の領域での信号の送信を継続すること、
第七の命令を受信し、前記第七の命令に指示された第二の領域での信号の送信を停止すること、
異なる送信方向の経路品質を受信し、経路品質が前記第一の閾値より高い送信方向の第五の領域を確定し、確定された第五の領域での信号の送信を継続し、予め設定された時間内に経路品質が前記第二の閾値より低い受信方向に対応する第三の領域を確定し、前記第三の領域での信号の受信を継続する第八の命令を送信すること、
異なる送信方向の経路品質を受信し、経路品質が前記第一の閾値より低い送信方向の前記第六の領域を確定し、確定された第六の領域での信号の送信を継続し、予め設定された時間内に経路品質が前記第二の閾値より低い信号の受信方向に対応する第四の領域を確定し、前記第四の領域での信号の受信を継続することを停止する第九の命令を送信することであることを特徴とする
請求項３５〜４６のいずれか１項に記載のシステム。
【請求項４８】
コンピュータ記憶媒体であって、
請求項１〜９のいずれか１項に記載の通信リンク管理方法を実行するためのコンピュータ実行可能命令を記憶している、コンピュータ記憶媒体。
【請求項４９】
コンピュータ記憶媒体であって、
請求項１０〜１４のいずれか１項に記載の通信リンク管理方法を実行するためのコンピュータ実行可能命令を記憶している、コンピュータ記憶媒体。
【発明の詳細な説明】
【技術分野】
【０００１】
本発明は、通信技術に関し、特に通信リンク管理方法、装置、システムおよびコンピュータ記憶媒体に関する。
【背景技術】
【０００２】
ミリ波無線通信は、伝送帯域幅が高く、伝送レートが高い通信技術である。ミリ波無線通信に使用されるナロービームの高利得のアンテナが指向性通信を行うことができ、通信システムの空間多重化能力を強化した。これにより、通信システムの伝送レートがギガビットレベルに達する。例えば、ソース機器（ｓｏｕｒｃｅ  ｄｅｖｉｃｅ）とシンク機器（ｓｉｎｋ  ｄｅｖｉｃｅ）に配置された高利得のミリ波アンテナアレイは、ビームフォーミングされて、指定されたアンテナ放射および受信方向に従ってソース機器とシンク機器の間に多入力多出力リンクを確立でき、それによってデータスループットを向上させる。
【０００３】
ミリ波アンテナアレイのビームフォーミング関連技術において、要求を満たす通信リンクを検索するように、ソース機器とシンク機器のミリ波アンテナアレイがすべての可能な空間自由度をトラバーサルする必要があり、当該トラバーサルプロセスの情報量が大きく、複雑さが高く、最適化過程に時間がかかる。また、通信リンクが阻害され、リンク品質が劣化した場合、ユーザ体験に影響を与えない前提で再度最適に収束することが困難であり、これにより、適切な置換リンクを見つけることが困難である。
【発明の概要】
【発明が解決しようとする課題】
【０００４】
本発明の実施形態は、要求を満たす通信リンクを効率的に検索するように、通信リンク管理方法を提供する。
【課題を解決するための手段】
【０００５】
本発明の実施形態の技術的解決手段は、以下のように実現される。前記方法は、
シンク機器が、受信された信号の異なる送信方向の経路品質、および前記信号の受信方向に対応する経路品質に基づいて、通信リンクの送信方向および受信方向を確定することと、
前記シンク機器が前記確定された受信方向に基づいて通信リンクを確立することとを含む。
【０００６】
通信リンク管理方法は、
ソース機器が異なる送信方向を使用して信号を送信し、前記信号の異なる送信方向の経路品質および前記信号の受信方向に対応する経路品質が通信リンクの送信方向を確定することに用いられることと、
前記ソース機器が前記確定された送信方向に基づいて通信リンクを確立することとを含む。
【０００７】
本発明の実施形態による通信リンク管理方法は、
ソース機器が異なる送信方向を使用してシンク機器へ信号を送信し、シンク機器が受信された信号の異なる送信方向の経路品質および前記受信された信号の受信方向に対応する経路品質に基づいて、通信リンクの送信方向および受信方向を確定することと、
前記ソース機器が前記確定された送信方向を使用して通信リンクを確立し、前記シンク機器が前記確定された受信方向を使用して通信リンクを確立することとを含む。
【０００８】
本発明の実施形態によるシンク機器は、
信号を受信するように構成される第一の通信ユニットと、
前記第一の通信ユニットにより受信された信号の異なる送信方向の経路品質および前記信号の受信方向に対応する経路品質に基づいて、通信リンクの送信方向および受信方向を確定するように構成される第一の確定ユニットと、
前記確定された送信方向および受信方向に基づいて通信リンクを確立するように構成される第一の確立ユニットとを含む。
【０００９】
本発明の実施形態によるソース機器は、
異なる送信方向を使用して信号を送信するように構成される第二の通信ユニットと、
前記信号の異なる送信方向の経路品質および前記信号の受信方向に対応する経路品質に基づいて、通信リンクの送信方向を確定するように構成される第二の確定ユニットと、
前記ソース機器が前記確定された送信方向に基づいて通信リンクを確立するように構成される第二の確立ユニットとを含む。
【００１０】
本発明の実施形態による通信リンク管理システムは、
受信された信号の異なる送信方向の経路品質および前記信号の受信方向に対応する経路品質に基づいて、通信リンクの送信方向および受信方向を確定し、前記確定された送信方向および受信方向に基づいて通信リンクを確立するように構成されるシンク機器と、
異なる送信方向を使用して信号を送信するように構成され、前記信号の異なる送信方向の経路品質および前記信号の受信方向に対応する経路品質が通信リンクの送信方向を確定することに用いられるソース機器とを含む。
【００１１】
本発明の実施形態によるコンピュータ記憶媒体は、上記のいずれかの通信リンク管理方法を実行するためのコンピュータ実行可能命令を記憶している。
【００１２】
本発明の実施形態の技術的解決手段において、シンク機器は、受信された信号の異なる送信方向の経路品質および前記信号の受信方向に対応する経路品質に基づいて、通信リンクの送信方向および受信方向を効率的に確定することができ、これにより、前記シンク機器とソース機器は、前記確定された送信方向および受信方向に基づいて通信リンクを確立することができる。
【図面の簡単な説明】
【００１３】
【図１】本発明の実施形態における通信リンク管理方法の実現プロセスを示す図一である。
【図２】本発明の実施形態における通信リンク管理方法の実現プロセスを示す図二である。
【図３】本発明の実施形態における通信リンク管理方法の実現プロセスを示す図三である。
【図４】本発明の実施形態におけるシンク機器の構成構造図である。
【図５】本発明の実施形態におけるソース機器の構成構造図である。
【図６】本発明の実施形態における通信リンク管理システムの構成構造図である。
【図７】本発明の実施形態におけるミリ波無線通信リンク管理プロセスを示す図である。
【図８】本発明の実施形態における受信方向をヒューリスティックモードで確定することを示す図である。
【図９】本発明の実施形態におけるソース機器とシンク機器の間の通信リンクを示す図である。
【図１０ａ】合格経路の検索処理プロセスを示す図である。
【図１０ｂ】合格経路の検索処理プロセスを示す図である。
【図１１ａ】通信リンクの劣化および入れ替えを示す図である。
【図１１ｂ】通信リンクの劣化および入れ替えを示す図である。
【発明を実施するための形態】
【００１４】
以下に図面および具体的な実施形態を参照して本発明をさらに説明する。衝突しない場合で、本発明の実施形態の特徴は、相互に組み合わせられることができると説明すべきである。
【００１５】
本発明の実施形態において通信リンク管理方法が記載される。図１は本発明の実施形態における通信リンク管理方法の実現プロセスを示す図一である。図１に示すように、前記通信リンク管理方法は、以下のステップを含む。
【００１６】
ステップ１０１において、シンク機器は、受信された信号の異なる送信方向の経路品質および前記信号の受信方向に対応する経路品質に基づいて、通信リンクの送信方向および受信方向を確定する。
【００１７】
ステップ１０２において、前記シンク機器は、前記確定された送信方向および受信方向に基づいて通信リンクを確立する。
【００１８】
ステップ１０１は、通信リンクの経路検索段階の処理であり、ステップ１０２において確立された通信リンクは、シンク機器とソース機器が正通常通信する場合に使用する通信リンクである。
【００１９】
一つの実施形態として、前記シンク機器が受信された信号の送信方向に対応する経路品質および前記信号の受信方向に対応する経路品質に基づいて、通信リンクの送信方向および受信方向を確定することは、
前記シンク機器が受信された信号に対応する異なる送信方向のうちの経路品質が第一の閾値より高い送信方向を通信リンクの送信方向に確定し、そして前記経路品質が第一の閾値より高い送信方向に対応する受信方向のうちの経路品質が第二の閾値より高い受信方向を通信リンクの受信方向に確定することを含む。
【００２０】
通信リンクの受信方向および送信方向を確定した場合、一つの実施形態として、前記シンク機器は、さらに確定された送信方向および受信方向を合格経路に確定して合格経路リストに記憶することができる。
【００２１】
一つの実施形態として、前記シンク機器が受信された信号に対応する異なる送信方向のうちの経路品質が第一の閾値より高い送信方向を通信リンクの送信方向に確定する前に、前記方法は、
前記シンク機器が異なる送信方向に対応する信号を受信し、前記送信方向のうちの経路品質が第一の閾値より高い送信方向を確定することと、
確定された経路品質が前記第一の閾値より高い送信方向を使用して信号を送信する第一の命令を送信することとをさらに含む。
【００２２】
一つの実施形態として、前記経路品質が第一の閾値より高い送信方向に対応する受信方向のうちの経路品質が第二の閾値より高い受信方向を通信リンクの受信方向に確定する前に、前記方法は、
前記シンク機器が異なる受信方向を使用して経路品質が前記第一の閾値より高い送信方向の信号を受信し、使用された受信方向のうちの経路品質が前記第二の閾値より高い受信方向を確定することをさらに含む。
【００２３】
一つの実施形態として、前記シンク機器により受信された信号は、同期情報を含み、
それに対応して、前記シンク機器が異なる受信方向を使用して経路品質が前記第一の閾値より高い送信方向の信号を受信することは、
前記シンク機器が現在のフレームの信号に含まれている同期情報に基づいて、現在のフレームの次のフレームの送信時点に、異なる受信方向を使用して経路品質が前記第一の閾値より高い送信方向の信号を受信することを含む。
【００２４】
一つの実施形態として、前記方法は、
現在の通信リンクの送信方向の経路品質が前記第一の閾値より低い、および／または現在の通信リンクの受信方向の経路品質が前記第二の閾値より低い場合、前記シンク機器が現在の使用された経路を前記合格経路リストから削除し、そして前記合格経路リストから合格経路を選択して通信リンクを確立することをさらに含む。
【００２５】
一つの実施形態として、前記シンク機器が前記確定された受信方向に基づいて通信リンクを確立することは、前記シンク機器が以下の方式のうちの一つを使用して通信リンクを確立することを含む。
【００２６】
前記方式：
前記合格経路リストにおける合格経路に対応する受信方向を使用して通信リンクを確立し、そして選択された合格経路における送信方向を使用して通信リンクを確立する第二の命令を送信すること、
前記合格経路リストを送信し、第三の命令を受信し、前記第三の命令に指示された受信方向に基づいて通信リンクを確立すること、
前記合格経路リストにおける合格経路を選択することに対する協議を開始し、前記合格経路リストに使用された合格経路を確定し、確定された合格経路の受信方向を使用して通信リンクを確立することである。
【００２７】
一つの実施形態として、現在の通信リンクの送信方向の経路品質が前記第一の閾値より低い、および／または現在の通信リンクの受信方向の経路品質が前記第二の閾値より低い場合、前記方法は、前記シンク機器が以下の操作の一つを実行して通信リンクを再確立することをさらに含む。
【００２８】
前記操作：
現在の使用された経路を前記合格経路リストから削除し、前記合格経路リストから合格経路を選択し、選択された合格経路の送信方向を使用する第四の命令を送信すること、
前記合格経路リストを送信し、第五の命令を受信し、前記第五の命令に指示された受信方向に基づいて通信リンクを確立すること、
現在の使用された経路を前記合格経路リストから削除し、前記合格経路リストにおける合格経路を選択することに対する協議を開始し、前記合格経路リストに使用された合格経路を確定し、確定された合格経路の受信方向を使用して通信リンクを確立することである。
【００２９】
一つの実施形態として、前記シンク機器が通信リンクの送信方向および受信方向を確定する前に、前記方法は、前記シンク機器が以下の方式のうちの一つを使用して信号を受信することをさらに含む。
【００３０】
前記方式：
異なる受信方向をランダムに使用して信号を受信すること、
予め設定された順番に基づいて異なる受信方向を使用して信号を受信することと、
予め設定された時間内に経路品質が前記第一の閾値より高い信号の送信方向に対応する第一の領域を確定し、そして前記第一の領域での信号の送信を継続する第六の命令を送信すること、
予め設定された時間内に経路品質が前記第一の閾値より低い信号の送信方向に対応する第二の領域を確定し、そして前記第二の領域での信号の送信を停止する第七の命令を送信すること、
異なる送信方向の経路品質を送信し、受信された第八の命令に応じて、前記第八の命令に指示された第三の領域での信号の受信を継続すること、
異なる送信方向の経路品質を送信し、受信された第九の命令に応じて、前記第九の命令に指示された第四の領域での信号の受信を停止することである。
【００３１】
本発明の実施形態に通信リンク管理方法が記載される。図２は本発明の実施形態による通信リンク管理方法の実現プロセスを示す図二である。図２に示すように、前記通信リンク管理方法は、以下のステップを含む。
【００３２】
ステップ２０１において、ソース機器は、異なる送信方向を使用して信号を送信する。ここで、前記信号の異なる送信方向の経路品質、および前記信号の受信方向に対応する経路品質は、通信リンクの送信方向を確定することに用いられる。
【００３３】
ステップ２０２において、前記ソース機器は、前記確定された送信方向に基づいて通信リンクを確立する。
【００３４】
一つの実施形態として、前記ソース機器が異なる送信方向を使用して信号を送信した後、前記方法は、
前記ソース機器が第一の命令を受信し、前記命令が、経路品質が第一の閾値より高い送信方向の情報を指示することと、
前記第一の命令に指示された送信方向を使用して信号を送信することとをさらに含む。
【００３５】
一つの実施形態として、前記ソース機器が前記確定された送信方向に基づいて通信リンクを確立することは、前記ソース機器が以下の方式のうちの一つを使用して通信リンクを確立することを含む。
【００３６】
前記方式：
前記ソース機器が命令を受信し、前記命令に指示された送信方向に基づいて通信リンクを確立すること、
前記ソース機器が合格経路リストを受信し、前記合格経路リストに基づいて合格経路を確定し、そして確定された合格経路の受信方向を使用して通信リンクを確立する命令を送信すること、
前記ソース機器が前記合格経路リストにおける合格経路を選択することに対する協議を開始し、前記合格経路リストに基づいて使用された合格経路を確定し、そして確定された合格経路の送信方向を使用して通信リンクを確立することである。
【００３７】
一つの実施形態として、現在の通信リンクの送信方向の経路品質が前記第一の閾値より低い、および／または現在の通信リンクの受信方向の経路品質が前記第二の閾値より低い場合、前記方法は、前記ソース機器が以下の方式のうちの一つを使用して通信リンクを確立することをさらに含む。
【００３８】
前記方式：
第四の命令を受信し、前記第四の命令に指示された送信方向に基づいて通信リンクを再確立すること、
合格経路リストを受信し、前記合格経路リストから現在の経路を削除し、そして前記合格経路リストから合格経路を選択し、選択された合格経路の受信方向を使用する第五の命令を送信すること、
合格経路リストを受信し、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することである。
【００３９】
一つの実施形態として、前記ソース機器が異なる送信方向を使用して信号を送信する方式は、
異なる送信方向をランダムに使用して信号を送信することと、
予め設定された順番に基づいて異なる送信方向を使用して信号を送信することと、
第六の命令を受信し、前記第六の命令に指示された第一の領域での信号の送信を継続することと、
第七の命令を受信し、前記第七の命令に指示された第二の領域での信号の送信を停止することと、
異なる送信方向の経路品質を受信し、経路品質が前記第一の閾値より高い送信方向の第五の領域を確定し、確定された第五の領域での信号の送信を継続し、予め設定された時間内に経路品質が前記第二の閾値より低い信号の受信方向に対応する第三の領域を確定し、そして前記第三の領域での信号の受信を継続する第八の命令を送信することと、
異なる送信方向の経路品質を受信し、経路品質が前記第一の閾値より低い送信方向の前記第六の領域を確定し、確定された第六の領域での信号の送信を継続し、予め設定された時間内に経路品質が前記第二の閾値より低い信号の受信方向に対応する第四の領域を確定し、そして前記第四の領域での信号の受信を停止する第九の命令を送信することとを含む。
【００４０】
図１および図２に示す通信リンク管理方法に対応して、本発明の実施形態において通信リンク管理方法が記載される。図３は本発明の実施形態による通信リンク管理方法の実現プロセスを示す図三である。図３に示すように、前記通信リンク管理方法は、以下のステップを含む。
【００４１】
ステップ３０１において、ソース機器は、異なる送信方向を使用してシンク機器へ信号を送信し、シンク機器が受信された信号の異なる送信方向の経路品質および前記受信された信号の受信方向に対応する経路品質に基づいて、通信リンクの送信方向および受信方向を確定する。
【００４２】
ステップ３０２において、前記ソース機器は、前記確定された送信方向を使用して通信リンクを確立し、前記シンク機器は、前記確定された受信方向を使用して通信リンクを確立する。
【００４３】
一つの実施形態として、前記シンク機器が受信された信号の送信方向に対応する経路品質および前記信号の受信方向に対応する経路品質に基づいて、通信リンクの送信方向および受信方向を確定することは、
前記シンク機器が受信された信号に対応する異なる送信方向のうちの経路品質が第一の閾値より高い送信方向を通信リンクの送信方向に確定し、そして前記経路品質が第一の閾値より高い送信方向に対応する受信方向のうちの経路品質が第二の閾値より高い受信方向を通信リンクの受信方向に確定することを含む。
【００４４】
一つの実施形態として、前記方法は、
前記シンク機器が確定された送信方向および受信方向を合格経路として合格経路リストに記憶することをさらに含む。
【００４５】
一つの実施形態として、前記シンク機器が受信された信号に対応する異なる送信方向のうちの経路品質が第一の閾値より高い送信方向を通信リンクの送信方向に確定する前に、前記方法は、
前記シンク機器が異なる送信方向に対応する信号を受信し、前記送信方向のうちの経路品質が第一の閾値より高い送信方向を確定することと、
前記ソース装置へ確定された経路品質が前記第一の閾値より高い送信方向を使用して信号を送信する第一の命令を送信することと、
前記ソース装置が前記命令に指示された送信方向を使用して信号を送信することとをさらに含む。
【００４６】
一つの実施形態として、前記ソース機器が前記確定された送信方向を使用して通信リンクを確立し、前記シンク機器が前記確定された受信方向を使用して通信リンクを確定することは、
前記ソース機器と前記シンク機器が以下の方式のうちの一つを使用して通信リンクを確立することを含む。
【００４７】
前記方式：
前記シンク機器が前記合格経路リストにおける合格経路に対応する受信方向を使用して通信リンクを確立し、そして前記ソース機器へ選択された合格経路における送信方向を使用して通信リンクを確立する第二の命令を送信し、前記ソース機器が前記第二の命令に指示された送信方向に基づいて通信リンクを確立すること、
前記シンク機器が前記ソース機器へ前記合格経路リストを送信し、前記ソース機器が前記合格経路リストに基づいて合格経路を確定し、そして前記シンク機器へ確定された合格経路の受信方向を使用して通信リンクを確立する第三の命令を送信し、前記シンク機器が前記第三の命令に指示された受信方向に基づいて通信リンクを確立すること、
前記ソース機器と前記シンク機器が前記合格経路リストにおける合格経路を選択することに対する協議を開始し、合格経路リストに基づいて使用された合格経路を確定し、前記シンク機器が確定された合格経路の受信方向を使用して通信リンクを確立し、前記ソース機器が確定された合格経路の送信方向を使用して通信リンクを確立することである。
【００４８】
一つの実施形態として、現在の通信リンクの送信方向の経路品質が前記第一の閾値より低い、および／または現在の通信リンクの受信方向の経路品質が前記第二の閾値より低い場合、前記方法は、前記ソース機器と前記シンク機器が以下の方式のうちの一つを使用して通信リンクを再確立することをさらに含む。
【００４９】
前記方式：
前記シンク機器が現在の使用された経路を前記合格経路リストから削除し、そして前記合格リストに合格経路を選択し、前記ソース機器へ選択された合格経路の送信方向を使用する第四の命令を送信し、前記ソース機器が前記第四の命令に指示された送信方向に基づいて通信リンクを再確立すること、
前記シンク機器が前記ソース機器へ前記合格経路リストを送信し、前記ソース機器が前記合格経路リストから現在の経路を削除し、そして前記合格経路リストから合格経路を選択し、前記シンク機器へ選択された合格経路の受信方向を使用する第五の命令を送信し、前記シンク機器が前記第五の命令に指示された受信方向に基づいて通信リンクを確立すること、
前記シンク機器が現在の使用された経路を前記合格経路リストから削除し、そして前記ソース機器へ前記合格経路リストにおける合格経路を選択することに対する協議を開始し、前記合格経路リストに使用された合格経路を確定し、それによって前記シンク機器が確定された合格経路の受信方向を使用して通信リンクを確立し、前記ソース機器が確定された合格経路の送信方向を使用して通信リンクを確立すること、
前記シンク機器が前記合格経路リストを前記ソース機器に送信し、前記ソース機器が前記合格経路リストから現在の経路を削除し、前記シンク機器へ前記合格経路リストにおける合格経路を選択することに対する協議を開始し、前記シンク機器が確定された合格経路の受信方向を使用して通信リンクを確立し、前記ソース機器が確定された合格経路の送信方向を使用して通信リンクを確立することである。
【００５０】
本発明の実施形態においてコンピュータ記憶媒体がさらに記載される。前記コンピュータ記憶媒体は、図１、図２および図３に示す通信リンク管理方法を実行するためのコンピュータ実行可能命令を記憶している。
【００５１】
本発明の実施形態においてシンク機器がさらに記載される。図４は本発明の実施形態におけるシンク機器の構成構造図である。図４に示すように、前記シンク機器は、
信号を受信するように構成される第一の通信ユニット４１と、
前記第一の通信ユニット４１により受信された信号の異なる送信方向の経路品質および前記信号の受信方向に対応する経路品質に基づいて、通信リンクの送信方向および受信方向を確定するように構成される第一の確定ユニット４２と、
前記確定された送信方向および受信方向に基づいて通信リンクを確立するように構成される第一の確立ユニット４３とを含む。
【００５２】
一つの実施形態として、前記第一の確定ユニット４２は、さらに受信された信号に対応する異なる送信方向のうちの経路品質が第一の閾値より高い送信方向を通信リンクの送信方向に確定し、そして前記経路品質が第一の閾値より高い送信方向に対応する受信方向のうちの経路品質が第二の閾値より高い受信方向を通信リンクの受信方向に確定するように構成される。
【００５３】
一つの実施形態として、前記第一の確定ユニット４２は、さらに確定された送信方向および受信方向を合格経路として合格経路リストに記憶するように構成される。
【００５４】
一つの実施形態として、前記第一の通信ユニット４１は、さらに異なる送信方向に対応する信号を受信するように構成され、
前記第一の確定ユニット４２は、さらに前記送信方向における経路品質が第一の閾値より高い送信方向を確定し、そして確定された経路品質が前記第一の閾値より高い送信方向を使用して信号を送信する第一の命令を送信するように前記第一の通信ユニット４１をトリガするように構成される。
【００５５】
一つの実施形態として、第一の通信ユニット４１は、さらに異なる受信方向を使用して経路品質が前記第一の閾値より高い送信方向の信号を受信するように構成され、
前記第一の確定ユニット４２は、さらに前記第一の通信ユニット４１に使用された受信方向のうちの経路品質が前記第二の閾値より高い受信方向を確定するように構成される。
【００５６】
一つの実施形態として、前記第一の通信ユニット４１により受信された信号は、同期情報を含み、
前記第一の確定ユニット４２は、さらに現在のフレームの信号に含まれている同期情報に基づいて、現在のフレームの次のフレームの送信時点に、異なる受信方向を使用して経路品質が前記第一の閾値より高い送信方向の信号を受信するように前記第一の通信ユニット４１をトリガするように構成される。
【００５７】
一つの実施形態として、前記第一の確立ユニット４３は、さらに以下の操作のうちの一つを実行して通信リンクを確立するように構成される。
【００５８】
前記操作：
前記合格経路リストにおける合格経路に対応する受信方向を使用して通信リンクを確立し、そして選択された合格経路における送信方向を使用して通信リンクを確立する第二の命令を送信するように前記第一の通信ユニット４１をトリガすること、
前記合格経路リストを送信するように前記第一の通信ユニット４１をトリガし、前記第一の通信ユニット４１により受信された第三の命令に指示された受信方向に基づいて通信リンクを確立すること、
前記合格経路リストにおける合格経路を選択することに対する協議を開始するように前記第一の通信ユニット４１をトリガし、前記合格経路リストに使用された合格経路を確定し、確定された合格経路の受信方向を使用して通信リンクを確立することである。
【００５９】
一つの実施形態として、前記第一の確立ユニット４３は、さらに現在の通信リンクの送信方向の経路品質が前記第一の閾値より低い、および／または現在の通信リンクの受信方向の経路品質が前記第二の閾値より低い場合、以下の操作のうちの一つを実行して通信リンクを再確立するように構成される。
【００６０】
前記操作：
現在の使用された経路を前記合格経路リストから削除し、そして前記合格経路リストから合格経路を選択し、選択された合格経路の送信方向を使用する第四の命令を送信するように前記第一の通信ユニット４１をトリガすること、
前記合格経路リストを送信するように前記第一の通信ユニット４１をトリガし、そして前記第一の通信ユニット４１により受信された第五の命令に指示された受信方向に基づいて通信リンクを確立すること、
現在の使用された経路を前記合格経路リストから削除し、そして前記合格経路リストにおける合格経路を選択することに対する協議を開始するように前記第一の通信ユニット４１をトリガし、前記合格経路リストに使用された合格経路を確定し、確定された合格経路の受信方向を使用して通信リンクを確立することである。
【００６１】
一つの実施形態として、前記第一の確定ユニット４２は、さらに通信リンクの送信方向および受信方向を確定する前に、以下の操作のうちの一つを実行して信号を受信するように構成される。
【００６２】
前記操作：
異なる受信方向をランダムに使用して信号を受信するように前記第一の通信ユニット４１をトリガすること、
予め設定された順番に基づいて異なる受信方向を使用して信号を受信するように前記第一の通信ユニット４１をトリガすること、
予め設定された時間内に経路品質が前記第一の閾値より高い信号の送信方向に対応する第一の領域を確定し、そして前記第一の領域での信号の送信を継続する第六の命令を送信するように前記第一の通信ユニット４１をトリガすることと、
予め設定された時間内に経路品質が前記第一の閾値より低い信号の送信方向に対応する第二の領域を確定し、そして前記第二の領域での信号の送信を継続することを停止する第七の命令を送信するように前記第一の通信ユニット４１をトリガすること、
異なる送信方向の経路品質を送信するように前記第一の通信ユニット４１をトリガし、そして受信された第八の命令に応じて、前記第八の命令に指示された第三の領域での信号の受信を継続すること、
異なる送信方向の経路品質を送信するように前記第一の通信ユニット４１をトリガし、受信された第九の命令に応じて、前記第九の命令に指示された第四の領域で信号を受信することである。
【００６３】
実際の応用において、前記第一の通信ユニット４１は、シンク機器における受信機および送信機によって実現されることができる。前記第一の確定ユニット４２、前記第一の確立ユニット４３は、前記シンク機器における中央プロセッサ（ＣＰＵ：Ｃｅｎｔｒａｌ  Ｐｒｏｃｅｓｓｉｎｇ  Ｕｎｉｔ）、デジタル信号プロセッサ（ＤＳＰ：Ｄｉｇｉｔａｌ  Ｓｉｇｎａｌ  Ｐｒｏｃｅｓｓｏｒ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）によって実現されることができる。
【００６４】
本発明の実施形態においてソース機器がさらに記載される。図５は本発明の実施形態におけるソース機器の構成構造図である。図５に示すように、前記ソース機器は、
異なる送信方向を使用して信号を送信するように構成される第二の通信ユニット５１と、
前記信号の異なる送信方向の経路品質および前記信号の受信方向に対応する経路品質に基づいて、通信リンクの送信方向を確定するように構成される第二の確定ユニット５２と、
前記ソース機器が前記確定された送信方向に基づいて通信リンクを確立するように構成される第二の確立ユニット５３とを含む。
【００６５】
一つの実施形態として、前記第二の通信ユニット５１は、さらに異なる送信方向を使用して信号を送信した後に第一の命令を受信するように構成され、前記第一の命令が、経路品質が第一の閾値より高い送信方向の情報を指示し、
前記第一の命令に指示された送信方向を使用して信号を送信するように構成される。
【００６６】
一つの実施形態として、前記第二の確立ユニット５３は、さらに以下の操作のうちの一つを実行して通信リンクを確立するように構成される。
【００６７】
前記操作：
第二の命令を受信するように前記第二の通信ユニット５１をトリガし、前記第二の命令に指示された送信方向に基づいて通信リンクを確立すること、
合格経路リストを受信するように前記第二の通信ユニット５１をトリガし、前記合格経路リストに基づいて合格経路を確定し、確定された合格経路の受信方向を使用して通信リンクを確立する第三の命令を送信するように前記第二の通信ユニット５１をトリガすること、
前記合格経路リストにおける合格経路を選択することに対する協議を開始するように前記第二の通信ユニット５１をトリガし、前記合格経路リストに基づいて使用された合格経路を確定し、そして確定された合格経路の送信方向を使用して通信リンクを確立することである。
【００６８】
一つの実施形態として、前記第二の確立ユニット５３は、さらに現在の通信リンクの送信方向の経路品質が前記第一の閾値より低い、および／または現在の通信リンクの受信方向の経路品質が前記第二の閾値より低い場合、以下の方式のうちの一つを使用して通信リンクを再確立するように構成される。
【００６９】
前記操作：
第四の命令を受信するように前記第二の通信ユニット５１をトリガし、前記第四の命令に指示された送信方向に基づいて通信リンクを再確立すること、
合格経路リストを受信するように前記第二の通信ユニット５１をトリガし、前記合格経路リストから現在の経路を削除し、そして前記合格経路リストから合格経路を選択し、確定された合格経路の受信方向を使用する第五の命令を送信すること、
合格経路リストを受信するように前記第二の通信ユニット５１をトリガし、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することである。
【００７０】
一つの実施形態として、前記第二の通信ユニット５１は、さらに異なる送信方向を使用して信号を送信する場合、以下の方式のうちの一つを使用するように構成される。
【００７１】
前記方式：
異なる送信方向をランダムに使用して信号を送信すること、
予め設定された順番に基づいて異なる送信方向を使用して信号を送信すること、
第六の命令を受信し、前記命令に指示された第一の領域での信号の送信を継続すること、
第七の命令を受信し、前記第七の命令に指示された第二の領域での信号の送信を停止すること、
異なる送信方向の経路品質を受信し、経路品質が前記第一の閾値より高い送信方向の第五の領域を確定するように前記第二の確定ユニット５２をトリガし、そして前記確定された第五の領域での信号の送信を継続し、予め設定された時間内に経路品質が前記第二の閾値より低い信号の受信方向に対応する第三の領域を確定するように前記第二の確定ユニット５２をトリガし、前記第三の領域での信号の受信を継続する第八の命令を送信すること、
異なる送信方向の経路品質を受信し、経路品質が前記第一の閾値より低い送信方向の前記第六の領域を確定するように前記第二の確定ユニット５２をトリガし、前記確定された第六の領域での信号の送信を継続し、予め設定された時間内に経路品質が前記第二の閾値より低い信号の受信方向に対応する第四の領域を確定するように前記第二の確定ユニット５２をトリガし、そして前記第四の領域での信号の受信を継続することを停止する第九の命令を送信することである。
【００７２】
実際の応用において、前記第二の通信ユニット５１は、前記ソース機器における送信機と受信機によって実現されることができ、前記第二の確定ユニット５２、前記第二の確立ユニット５３は、前記ソース機器におけるＣＰＵ、ＤＳＰまたはＦＰＧＡによって実現されることができる。
【００７３】
本発明の実施形態において通信リンク管理システムがさらに記載され、図６が本発明の実施形態による通信リンク管理システムの構成構造図であり、図６に示すように、シンク機器６１とソース機器６２を含む。ここで、
前記ソース機器６２が異なる送信方向を使用してシンク機器６１へ信号を送信するように構成され、
前記シンク機器６１が受信された信号の異なる送信方向の経路品質および信号の受信のために使用された異なる受信方向の経路品質に基づいて、通信リンクの送信方向および受信方向を確定するように構成され、
前記ソース機器６２が前記確定された送信方向を使用し、前記シンク機器６１が前記確定された受信方向を使用し、通信リンクを確立する。
【００７４】
一つの実施形態として、前記シンク機器６１は、さらに受信された信号に対応する異なる送信方向のうちの経路品質が第一の閾値より高い送信方向を通信リンクの送信方向に確定し、そして前記経路品質が第一の閾値より高い送信方向に対応する受信方向のうちの経路品質が第二の閾値より高い受信方向を通信リンクの受信方向に確定するように構成される。
【００７５】
一つの実施形態として、前記シンク機器６１は、さらに確定された送信方向および受信方向を合格経路として合格経路リストに記憶するように構成される。
【００７６】
一つの実施形態として、前記シンク機器６１は、さらに異なる送信方向に対応する信号を受信し、前記送信方向における経路品質が第一の閾値より高い送信方向を確定し、
確定された経路品質が前記第一の閾値より高い送信方向を使用して信号を送信する第一の命令を送信するように構成される。
【００７７】
一つの実施形態として、前記シンク機器６１は、さらに異なる受信方向を使用して経路品質が前記第一の閾値より高い送信方向の信号を受信し、使用された受信方向における経路品質が前記第二の閾値より高い受信方向を確定するように構成される。
【００７８】
一つの実施形態として、前記シンク機器６１により受信された信号は、同期情報を含み、
それに対応して、前記シンク機器６１は、さらに現在のフレームの信号に含まれている同期情報に基づいて、現在のフレームの次のフレームの送信時点に、異なる受信方向を使用して経路品質が前記第一の閾値より高い送信方向の信号を受信するように構成される。
【００７９】
一つの実施形態として、前記シンク機器６１は、さらに通信リンクを確立する場合に以下の方式のうちの一つを使用するように構成される。
【００８０】
前記方式：
前記合格経路リストにおける合格経路に対応する受信方向を使用して通信リンクを確立し、選択された合格経路における送信方向を使用して通信リンクを確立する第二の命令を送信すること、
前記合格経路リストを送信し、第三の命令を受信し、前記第三の命令に指示された受信方向に基づいて通信リンクを確立すること、
前記合格経路リストにおける合格経路を選択することに対する協議を開始し、前記合格経路リストに使用された合格経路を確定し、確定された合格経路の受信方向を使用して通信リンクを確立することである。
【００８１】
一つの実施形態として、前記シンク機器６１は、さらに現在の通信リンクの送信方向の経路品質が前記第一の閾値より低い、および／または現在の通信リンクの受信方向の経路品質が前記第二の閾値より低い場合、以下の方式のうちの一つを使用して通信リンクを再確立するように構成される。
【００８２】
前記方式：
現在の使用された経路を前記合格経路リストから削除し、そして前記合格経路リストから合格経路を選択し、選択された合格経路の送信方向を使用する第四の命令を送信すること、
前記合格経路リストを送信し、第五の命令を受信し、前記第五の命令に指示された受信方向に基づいて通信リンクを確立すること、
現在の使用された経路を前記合格経路リストから削除し、前記合格経路リストにおける合格経路を選択することに対する協議を開始し、前記合格経路リストに使用された合格経路を確定し、確定された合格経路の受信方向を使用して通信リンクを確立することである。
【００８３】
一つの実施形態として、前記シンク機器６１は、さらに通信リンクの送信方向および受信方向を確定する前に信号を受信する場合、以下の方式のうちの一つを使用して信号を受信するように構成される。
【００８４】
前記方式：
異なる受信方向をランダムに使用して信号を受信すること、
予め設定された順番に基づいて異なる受信方向を使用して信号を受信すること、
予め設定された時間内に経路品質が前記第一の閾値より高い信号の送信方向に対応する第一の領域を確定し、前記第一の領域での信号の送信を継続する第六の命令を送信すること、
予め設定された時間内に経路品質が前記第一の閾値より低い信号の送信方向に対応する第二の領域を確定し、前記第二の領域での信号の送信を継続することを停止する第七の命令を送信すること、
異なる送信方向の経路品質を送信し、受信された第八の命令に応じて、前記第八の命令に指示された第三の領域での信号の受信を継続すること、
異なる送信方向の経路品質を送信し、受信された第九の命令に応じて、前記第九の命令に指示された第四の領域での信号の受信を停止することである。
【００８５】
一つの実施形態として、前記ソース機器６２は、さらに異なる送信方向を使用して信号を送信した後、第一の命令を受信するように構成され、前記命令が、経路品質が第一の閾値より高い送信方向の情報を指示し、
前記第一の命令に指示された送信方向を使用して信号を送信するように構成される。
【００８６】
一つの実施形態として、前記ソース機器６２は、さらに以下の方式のうちの一つを使用して通信リンクを確立するように構成される。
【００８７】
前記方式：
第二の命令を受信し、前記第二の命令に指示された送信方向に基づいて通信リンクを確立すること、
合格経路リストを受信し、前記合格経路リストに基づいて合格経路を確定し、確定された合格経路の受信方向を使用して通信リンクを確立する第三の命令を送信すること、
前記合格経路リストにおける合格経路を選択することに対する協議を開始し、前記合格経路リストに基づいて使用された合格経路を確定し、確定された合格経路の送信方向を使用して通信リンクを確立することである。
【００８８】
一つの実施形態として、前記ソース機器６２は、さらに現在の通信リンクの送信方向の経路品質が前記第一の閾値より低い、および／または現在の通信リンクの受信方向の経路品質が前記第二の閾値より低い場合、以下の方式のうちの一つを使用して通信リンクを再確立するように構成される。
【００８９】
前記方式：
第四の命令を受信し、前記第四の命令に指示された送信方向に基づいて通信リンクを再確立すること、
合格経路リストを受信し、前記合格経路リストから現在の経路を削除し、前記合格経路リストから合格経路を選択し、選択された合格経路の受信方向を使用する第五の命令を送信すること、
合格経路リストを受信し、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することである。
【００９０】
一つの実施形態として、前記ソース機器６２は、さらに異なる送信方向を使用して信号を送信する場合、以下の方式のうちの一つを使用するように構成される。
【００９１】
前記方式：
異なる送信方向をランダムに使用して信号を送信すること、
予め設定された順番に基づいて異なる送信方向を使用して信号を送信すること、
第六の命令を受信し、前記第六の命令に指示された第一の領域での信号の送信を継続すること、
第七の命令を受信し、前記第七の命令に指示された第二の領域での信号の送信を停止すること、
異なる送信方向の経路品質を受信し、経路品質が前記第一の閾値より高い送信方向の第五の領域を確定し、確定された第五の領域での信号の送信を継続し、予め設定された時間内に経路品質が前記第二の閾値より低い受信方向に対応する第三の領域を確定し、前記第三の領域での信号の受信を継続する第八の命令を送信すること、
異なる送信方向の経路品質を受信し、経路品質が前記第一の閾値より低い送信方向の前記第六の領域を確定し、確定された第六の領域での信号の送信を継続し、予め設定された時間内に経路品質が前記第二の閾値より低い信号の受信方向に対応する第四の領域を確定し、前記第四の領域での信号の受信を継続することを停止する第九の命令を送信することである。
【００９２】
以下にミリ波無線通信リンクを確立することを例として、本発明の実施形態に記載される通信リンク管理方法、装置およびシステムをさらに詳しく説明する。
【００９３】
リンクにおけるソース機器とシンク機器は、いずれもミリ波アンテナと低周波数アンテナを備え、ミリ波アンテナがミリ波トレーニング信号（ＴＳ）、高速データ信号および制御信号を送信および受信するように構成され、低周波数アンテナが制御信号を送信および受信するように構成される。無線通信リンクの管理が経路検索段階と経路選択および削除段階というの２つの段階に分けられ、以下に２つの段階の処理を説明する。
【００９４】
１）経路検索段階
ステップ１０において、ソース機器は、ミリ波アンテナを介して一定の時間間隔（ソース機器とシンク機器によって予め約束された）で順次異なる方向に指向してシンク機器に高周波数のナロービームのトレーニング信号（ＴＳ：Ｔｒａｉｎｉｎｇ  Ｓｉｇｎａｌ）を送信し、ソース機器のミリ波アンテナがｎつの異なる方向に指向できると仮定し、ｉ１、ｉ２、．．．、ｉｎに記す。シンク機器のミリ波アンテナは、ワイドビームを使用してＴＳを順次受信し、ＴＳに基づいてソース機器の各送信方向の経路品質を計算し、経路品質が第一の閾値より大きい場合、シンク機器は、現在のＴＳのソース機器の送信方向を記録し、ｉＱに記し、そして低周波数アンテナを介して制御フレームＣＳ１をソース機器に伝送し、現在の送信方向ｉＱを維持してＴＳを送信するようにソース機器を要求する。
【００９５】
ステップ２０において、ソース機器の低周数アンテナは、ＣＳ１を受信した後、当該要求を確認し、低周波数アンテナを使用してシンク機器へ確認フレームを送信し、ＡＣＫ１に記し、その後現在の方向を維持して一定の時間間隔でミリ波アンテナを使用してシンク機器へのＴＳの送信を継続する。シンク機器の低周波数アンテナは、ＡＣＫ１を受信した後、ミリ波アンテナを順次異なる方向に指向させて高周波数ナロービームを使用してＴＳを受信する（ソース機器がＴＳを送信するタイミングと同期を維持する）。ここで、ソース機器により送信されたＴＳに対応する同期フィールド情報が含まれる。シンク機器は、前のフレームのＴＳを受信した後、ソース機器が次のフレームのＴＳを送信するタイミングと同期を維持するように次のフレームのＴＳ信号の受信タイミングを調整できる。
【００９６】
シンク機器のミリ波アンテナがｍ個の方向に指向できると仮定し、ｊ１、ｊ２、．．．、ｊｍに記す。シンク機器は、ＴＳに基づいて各受信方向の経路品質を計算し、経路品質が第二の閾値より大きい場合、シンク機器は、現在のＴＳの受信方向（ｊＱに記される）を記録し、ｉＱ、ｊＱおよび対応する経路品質を合格経路リストに記憶する。
【００９７】
２）経路選択および削除段階
ステップ３０において、シンク機器は、合格経路リストから若干の経路を選択し、低周数アンテナを介して制御フレーム（ＣＳ２）をソース機器に伝送し、選択された経路に基づいて高速ミリ波リンクを確立するようにソース機器を要求する。ソース機器の低周波数アンテナは、ＣＳ２を受信した後、当該要求を確認し、低周波数アンテナを使用してシンク機器へ確認フレーム（ＡＣＫ２）を送信し、そのミリ波アンテナを選択された経路の指向に調整する。シンク機器は、ＡＣＫ２を受信した後、そのミリ波アンテナを選択された経路の指向に調整する。これまで、ソース機器とシンク機器は、ミリ波無線リンクの確立を完了する。
【００９８】
シンク機器は、合格経路リストを低周波数アンテナとシンク機器により共有させ、ソース機器によってその中から若干の経路を選択し、または両者が協議して若干の経路を選択してリンクを確立すると説明すべきである。
【００９９】
通信リンクの品質が劣化するなわち現在の通信リンクの送信方向の経路品質が前記第一の閾値より低い、および／または現在の通信リンクの受信方向の経路品質が前記第二の閾値より低い場合、合格経路リストにおける他の経路を使用して新しい通信リンクを確立して劣化したリンクを入れ替えることができ（同じ数量のリンクを使用して入れ替えてよく、異なってもよい）、劣化したリンクの経路が合格経路リストから削除される。
【０１００】
また、一つの通信リンクを迅速に確立するように、ステップ１０、ステップ２０、ステップ３０が順次行われることができ、若干回のステップ１０とステップ２０を繰り返して実行し、一定の合格経路を累積した後、ステップ３０に移行することもでき、若干のミリ波リンクを確立して高速データ通信を行う過程において、ステップ１０、ステップ２０およびステップ３０の実行を継続し、合格経路リストをリアルタイムに更新し、絶えず通信リンクを修正することもできると説明すべきである。
【０１０１】
本発明の実施形態は、以下の有益な効果を備える。
【０１０２】
ミリ波通信リンクが自己適応的に最適な経路に傾向することができ、
ミリ波通信リンクにおける選択されない経路が候補経路として使用されることができ、リンクが劣化した場合で、劣化した経路を迅速に入れ替え、ユーザ体験が影響を受けないことを保証することができる。
【０１０３】
以下に例を参照して説明し、本発明の実施形態に記載されている通信リンク管理は、経路検索段階、経路選択および削除段階という２つの段階に分けられる。
【０１０４】
図７は本発明の実施形態におけるミリ波無線通信リンク管理プロセスを示す図である。
【０１０５】
まず、ソース機器とシンク機器は、シグナリングインタラクションにより経路検索段階に入る。
【０１０６】
ステップ７０１において、ソース機器のミリ波アンテナは、一定の時間間隔で順次異なる方向に指向して高周波数のナロービームのトレーニング信号（ＴＳ：Ｔｒａｉｎｉｎｇ  Ｓｉｇｎａｌ）を送信する。
【０１０７】
前記時間間隔は、ソース機器とシンク機器によって予め協議されて確定される。
【０１０８】
ソース機器のミリ波アンテナは、ｎ個の異なる方向に指向できると仮定し、ｉ１、ｉ２、…、ｉｎに記す。
【０１０９】
ステップ７０２において、シンク機器のミリ波アンテナは、ワイドビームを使用して順次ＴＳを受信し、ＴＳに基づいてソース機器の各送信方向の経路品質を計算する。
【０１１０】
前記経路品質は、
信号対雑音比（ＳＮＲ：Ｓｉｇｎａｌ  Ｎｏｉｓｅ  Ｒａｔｉｏｎ）、受信された信号強度インジケータ（ＲＳＳＩ：Ｒｅｃｅｉｖｅｄ  Ｓｉｇｎａｌ  Ｉｎｄｉｃａｔｉｏｎ）およびビット誤り率（ＢＥＲ：Ｂｉｔ  Ｅｒｒｏｒ  Ｒａｔｅ）の少なくとも一つを使用することができる。
【０１１１】
ステップ７０３において、チャネル品質が予め設定された第一の閾値より大きい場合、ステップ７０４を実行し、そうでなければ、ステップ７０１に戻る。
【０１１２】
ステップ７０４において、シンク機器は、現在の送信方向を維持してＴＳを送信するようにソース機器を要求する。
【０１１３】
シンク機器は、現在のＴＳの送信方向を記録し、ｉＱに記し、低周波数アンテナを介して制御フレームＣＳ１をソース機器に伝送し、現在の送信方向ｉＱを維持してＴＳを送信するようにソース機器を要求する。
【０１１４】
ステップ７０５において、ソース機器は、異なる方向へ高周波数ナロービームを使用してＴＳを受信する。
【０１１５】
ソース機器の低周波数アンテナは、ＣＳ１を受信した後、当該要求を確認し、低周波数アンテナを使用してシンク機器へ確認フレームＡＣＫ１を送信し、その後現在の送信方向ｉＱを維持して予め設定された時間間隔でミリ波アンテナを使用してシンク機器へのＴＳの送信を継続する。シンク機器の低周波数アンテナは、ＡＣＫ１を受信した後、ミリ波アンテナを使用して順次異なる方向に指向して高周波数ナロービームを使用してＴＳを受信し（シンク機器がＴＳを送信するタイミングと同期を維持する）、シンク機器のミリ波アンテナがｍ個の方向に指向できると仮定し、ｊ１、ｊ２、．．．、ｊｍに記す。
【０１１６】
ステップ７０６において、シンク機器は、各受信方向の経路品質を判定し、チャネル品質が予め設定された第二の閾値より大きいと判定した場合、ステップ７０７を実行し、そうでなければ、ステップ７０５に戻る。
【０１１７】
ステップ７０８において、シンク機器は、現在の経路を合格経路リストに記憶する。
【０１１８】
シンク機器は、ＴＳに基づいて各受信方向の経路品質を計算する。経路品質が予め設定された第二の閾値より大きい場合、シンク機器は、現在のＴＳの受信方向を記録し、ｊＱに記し、ｉＱ、ｊＱおよび対応する経路品質を合格経路リストに記憶する。表１に合格経路リストの構成が示される。
【０１１９】
【表１】
2017500783.tif 000003
【０１２０】
その後、ソース機器とシンク機器は、経路選択および削除段階に入る。
【０１２１】
ステップ７０８において、シンク機器は、合格経路リストから設定された数の合格経路を選択して通信リンクを確立する。
【０１２２】
シンク機器は、合格経路リストから設定された数の合格経路を選択し、低周波数アンテナを介して制御フレームＣＳ２をソース機器に伝送し、選択された経路に基づいて高速のミリ波リンクを確立するようにソース機器を要求する。ソース機器の低周波数アンテナは、ＣＳ２を受信した後、当該要求を確認し、低周波数アンテナを使用してシンク機器へ確認フレームＡＣＫ２を送信し、自体のミリ波アンテナを選択された経路の送信方向に調整する。シンク機器は、ＡＣＫ２を受信した後、自体のミリ波アンテナを選択された経路の受信方向に調整する。これまで、ソース機器、シンク機器は、ミリ波無線リンクの確立を完了する。
【０１２３】
シンク機器は、合格経路リストを低周波数アンテナとシンク機器により共有させ、ソース機器によってその中から若干の経路を選択し、または両者が協議して若干の経路を選択してリンクを確立すると説明すべきである。通信リンクの品質が劣化した場合、合格経路リストにおける他の経路を使用して新しい通信リンクを確立して劣化したリンクを入れ替えることができ、同じ数量のリンクを使用して入れ替えることができ、劣化したリンクの経路が合格経路リストから削除されると説明すべきである。
【０１２４】
ステップ７０９において、シンク機器とソース機器は、確立されたリンクに基づいて高速データ通信を行う。
【０１２５】
ステップ７１０において、通信リンクが劣化するかどうかを判定し、そうであれば、ステップ７０８に戻り、そうでなければ、ステップ７１１を実行する。
【０１２６】
ステップ７１０は、ソース機器またはシンク機器によって実行されることができる。
【０１２７】
通信リンクが劣化することは、現在の通信リンクの送信方向の経路品質が前記第一の閾値より低いこと、および／または現在の通信リンクの受信方向の経路品質が前記第二の閾値より低いことを含む。
【０１２８】
ステップ７１１において、通信が終了するかどうかを判定し、そうであれば、処理を停止し、そうでなければ、通信が終了するまでステップ７０９の実行を継続する。
【０１２９】
また、経路検索段階と経路選択および削除段階は、一つの通信リンクを迅速に確立するように、順次行われることができ、予め設定された時間の経路検索段階を継続し、一定の合格経路を累積した後、経路選択および削除段階に移行することもでき、ミリ波リンクを確立して高速データ通信を行う過程において、合格経路リストをリアルタイムに更新し、通信リンクの修正を継続することもできると説明すべきである。
【０１３０】
また、合格経路リストの容量に対して、１つの上限を設定でき、合格経路リストの容量が上限に達する場合、新しい合格経路がリストにおける経路より良いと、リストにおける最適以下の経路を入れ替えることができる。通信中、すべての確立されたミリ波通信リンクが失敗し、同時に合格経路リストが空になる場合、ステップ１に戻り、新たに検索を開始する必要がある。
【０１３１】
一般的に、ソース機器またはシンク機器のミリ波アンテナナロービーム転向モードは、
ソース機器とシンク機器がランダムモードに従って転向し、ＴＳを受信または送信することと、
ソース機器とシンク機器が予め設定された順番に従って予め設定された方向をトラバーサルし、ＴＳを受信または送信することと、
ソース機器とシンク機器がヒューリスティックモードで対応して送信方向および受信方向を確定することとを含む。
【０１３２】
シンク機器がヒューリスティックモードで受信方向を確定する実施形態において、シンク機器のミリ波アンテナ空間指向スパンに基づいて、シンク機器のミリ波アンテナのアンテナ指向空間を予め設定された数の領域に分割し、ある領域に経路品質が第一の閾値より高いＴＳを連続的に受信すると、当該領域がＴＳを受信する場合の優先的な検索領域であり、シンク機器は、ミリ波アンテナを当該領域に指向させてＴＳの受信を行い、ある領域に第一の閾値より高いＴＳを連続的に検索しないと、その後当該領域にＴＳを受信しなく、
ここで、シンク機器は、ソース機器へ対応する異なる方向の経路品質を送信し、ソース機器のＴＳの優先的な送信方向の領域を指示し、またはシンク機器によって経路品質に基づいて経路品質が第一の閾値より高い送信方向の領域を確定し、ソース機器に通知する。
【０１３３】
図８は本発明の実施形態におけるヒューリスティックモードで受信方向を確定することを示す図である。図８に示すように、領域Ｉにおいて、シンク機器が予め設定された時間内に経路品質が第一の閾値を超えないＴＳを連続的に受信した場合、シンク機器は、制御フレームを介して領域Ｉをスキップし、領域IIに転向して信号を送信するようにソース機器に通知する。領域IIにおいて、シンク機器が予め設定された時間内に経路品質が第一の閾値を超えるＴＳを連続的に受信する場合、シンク機器は、ソース機器が領域IIにＴＳの送信を継続するように、制御フレームを介して領域IIが優先的なＴＳ送信領域であることをソース機器に通知する。
【０１３４】
図９は本発明の実施形態におけるソース機器とシンク機器との間の通信リンクを示す図である。図９に示すように、ソース機器とシンク機器の間の制御信号は、低周波数アンテナにより確立されたリンクすなわち低周波数制御リンクを介して伝送されてよく、確立されたミリ波リンクを介して伝送されてもよい。図９において、確立された２本のミリ波リンクがあり、その中のミリ波制御リンクが制御フレームを伝送することに用いられることができ、ミリ波データリンクが高速データを伝送することに用いられることもできる。また、低周波数の制御リンクを使用して制御フレームを伝送することもできる。
【０１３５】
図１０ａと図１０ｂは合格経路検索プロセスを示す図である。図１０ａに示すように、ソース機器のミリ波アンテナは、７つの方向に指向して順次ＴＳを送信し、シンク機器は、ワイドビームを使用して受信し、ここで、ソース機器のミリ波アンテナによって指向された方向４が第一の閾値より大きい。その後、図１０ｂに示すように、ソース機器は、方向４にＴＳを連続的に送信し、シンク機器のミリ波アンテナは、７つの方向に指向して順次ＴＳを受信し、ここで、シンク機器のミリ波アンテナによって指向された方向４が第二の閾値より大きい。このようにして１本の合格経路すなわちソース機器の方向４からシンク機器の方向４までの合格経路を検索し出す。
【０１３６】
図１１ａと図１１ｂは通信リンクの劣化および入れ替えを示す図である。図１１ａに示すように、現在のソース機器とシンク機器が多入力多出力通信（ＭＩＭＯＦ）リンクの通信を行い、ソース機器の方向２からシンク機器の方向２までのリンク１、ソース機器の方向４からシンク機器の方向４までのリンク２を含む。同時に、合格経路リストに１本の候補経路すなわちソース機器の方向６からシンク機器の方向６までのリンクがある。
【０１３７】
現在の通信しているリンク２が劣化すると、図１１ｂに示すように、候補リンク１は、現在のリンク２を入れ替えることができ、劣化したリンク２が合格経路リストから削除される。
【０１３８】
本分野の当業者は、前記方法の実施形態のすべてまたは一部のステップを実現することがプログラムにより関連するハードウェアに命令して完了されることができ、前記プログラムがコンピュータ可読記憶媒体に記憶されることができ、当該プログラムが実行される場合、前記方法の実施形態のステップを実行し、前記記憶媒体が移動記憶装置、読み出し専用メモリ（ＲＯＭ、Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク、光ディスクなどの様々な、プログラムコードを記憶できる媒体を含むと理解すべきである。
【０１３９】
または、本発明において前記集積されたユニットは、ソフトウェア機能モジュールの形態で実現されかつ独立する製品として販売または使用されると、コンピュータ可読記憶媒体に記憶されることができる。このような理解に基づいて、本発明の実施形態の技術的解決手段は、本質的にソフトウェア製品の形態で体現され、または従来技術に貢献する部分がソフトウェア製品の形態で体現され、当該コンピュータソフトウェア製品が記憶媒体に記憶され、コンピュータ（パーソナルコンピュータ、サーバ、またはネットワーク装置などであってよい）に本発明の各実施形態に記載される方法のすべてまたは一部を実行させるための若干の命令を含む。前記記憶媒体は、移動記憶装置、ＲＯＭ、ＲＡＭ、磁気ディスクまたは光ディスクなどの様々な、プログラムコードを記憶できる媒体を含む。
【０１４０】
以上は、本発明の具体的な実施形態だけであるが、本発明の保護範囲は、これに限られなく、本技術分野に精通するいかなる技術者は、本発明に開示された技術範囲で、変化または入れ替えを容易に想到することができ、それらがすべて本発明の保護範囲に入るべきである。したがって、本発明の保護範囲は、前記請求項の保護範囲を基準とするべきである。
【図１】
2017500783.tif 000004
【図２】
2017500783.tif 000005
【図３】
2017500783.tif 000006
【図４】
2017500783.tif 000007
【図５】
2017500783.tif 000008
【図６】
2017500783.tif 000009
【図７】
2017500783.tif 000010
【図８】
2017500783.tif 000011
【図９】
2017500783.tif 000012
【図１０ａ】
2017500783.tif 000013
【図１０ｂ】
2017500783.tif 000014
【図１１ａ】
2017500783.tif 000015
【図１１ｂ】
2017500783.tif 000016
【手続補正書】
【提出日】平成28年7月4日(2016.7.4)
【手続補正１】
【補正対象書類名】特許請求の範囲
【補正対象項目名】全文
【補正方法】変更
【補正の内容】
【特許請求の範囲】
【請求項１】
通信リンク管理方法であって、
シンク機器が、受信された信号の異なる送信方向の経路品質、および前記信号の受信方向に対応する経路品質に基づいて、通信リンクの送信方向および受信方向を確定することと、
前記シンク機器が前記確定された受信方向に基づいて通信リンクを確立することとを含む、通信リンク管理方法。
【請求項２】
前記シンク機器が、受信された信号の送信方向に対応する経路品質および前記信号の受信方向に対応する経路品質に基づいて、通信リンクの送信方向および受信方向を確定することは、
前記シンク機器が、受信された信号に対応する異なる送信方向のうちの経路品質が第一の閾値より高い送信方向を通信リンクの送信方向に確定し、そして前記経路品質が第一の閾値より高い送信方向に対応する受信方向のうちの、経路品質が第二の閾値より高い受信方向を通信リンクの受信方向に確定することを含むことを特徴とする
請求項１に記載の方法。
【請求項３】
前記方法は、前記シンク機器が、確定された送信方向および受信方向を合格経路として合格経路リストに記憶することをさらに含むことを特徴とする
請求項２に記載の方法。
【請求項４】
前記シンク機器が、受信された信号に対応する異なる送信方向のうちの経路品質が第一の閾値より高い送信方向を通信リンクの送信方向に確定する前に、前記方法は、
前記シンク機器が異なる送信方向に対応する信号を受信し、前記送信方向のうちの経路品質が第一の閾値より高い送信方向を確定することと、
確定された経路品質が前記第一の閾値より高い送信方向を使用して信号を送信する、第一の命令を送信することとをさらに含むことを特徴とする
請求項２に記載の方法。
【請求項５】
前記経路品質が第一の閾値より高い送信方向に対応する受信方向のうちの、経路品質が第二の閾値より高い受信方向を通信リンクの受信方向に確定する前に、前記方法は、
前記シンク機器が、異なる受信方向を使用して経路品質が前記第一の閾値より高い送信方向の信号を受信し、使用された受信方向のうちの経路品質が前記第二の閾値より高い受信方向を確定することをさらに含むことを特徴とする
請求項２に記載の方法。
【請求項６】
前記シンク機器により受信された信号は、同期情報を含み、
それに対応して、前記シンク機器が異なる受信方向を使用して経路品質が前記第一の閾値より高い送信方向の信号を受信することは、
前記シンク機器が現在のフレームの信号に含まれている同期情報に基づいて、現在のフレームの次のフレームの送信時点に、異なる受信方向を使用して経路品質が前記第一の閾値より高い送信方向の信号を受信することを含むことを特徴とする
請求項５に記載の方法。
【請求項７】
前記シンク機器が前記確定された受信方向に基づいて通信リンクを確立することは、前記シンク機器が以下の方式のうちの一つを使用して通信リンクを確立することを含み、
前記方式は、
前記合格経路リストにおける合格経路に対応する受信方向を使用して通信リンクを確立し、そして選択された合格経路における送信方向を使用して通信リンクを確立する、第二の命令を送信すること、
前記合格経路リストを送信し、第三の命令を受信し、前記第三の命令に指示された受信方向に基づいて通信リンクを確立すること、
前記合格経路リストにおける合格経路を選択することに対する協議を開始し、前記合格経路リストに使用された合格経路を確定し、確定された合格経路の受信方向を使用して通信リンクを確立することであることを特徴とする
請求項３に記載の方法。
【請求項８】
現在の通信リンクの送信方向の経路品質が前記第一の閾値より低い、および／または現在の通信リンクの受信方向の経路品質が前記第二の閾値より低い場合、前記方法は、前記シンク機器が以下の操作の一つを実行して通信リンクを再確立することをさらに含み、
前記操作は、
現在の使用された経路を前記合格経路リストから削除し、前記合格経路リストから合格経路を選択し、選択された合格経路の送信方向を使用する第四の命令を送信すること、
前記合格経路リストを送信し、第五の命令を受信し、前記第五の命令に指示された受信方向に基づいて通信リンクを確立すること、
現在の使用された経路を前記合格経路リストから削除し、前記合格経路リストにおける合格経路を選択することに対する協議を開始し、前記合格経路リストに使用された合格経路を確定し、確定された合格経路の受信方向を使用して通信リンクを確立することであることを特徴とする
請求項３に記載の方法。
【請求項９】
前記シンク機器が通信リンクの送信方向および受信方向を確定する前に、前記方法は、前記シンク機器が以下の方式のうちの一つを使用して信号を受信することをさらに含み、
前記方式は、
異なる受信方向をランダムに使用して信号を受信すること、
予め設定された順番に基づいて異なる受信方向を使用して信号を受信することと、
予め設定された時間内に経路品質が前記第一の閾値より高い信号の送信方向に対応する第一の領域を確定し、そして前記第一の領域での信号の送信を継続する第六の命令を送信すること、
予め設定された時間内に経路品質が前記第一の閾値より低い信号の送信方向に対応する第二の領域を確定し、そして前記第二の領域での信号の送信を停止する第七の命令を送信すること、
異なる送信方向の経路品質を送信し、受信された第八の命令に応じて、前記第八の命令に指示された第三の領域での信号の受信を継続すること、
異なる送信方向の経路品質を送信し、受信された第九の命令に応じて、前記第九の命令に指示された第四の領域での信号の受信を停止することであることを特徴とする
請求項１〜８のいずれか１項に記載の方法。
【請求項１０】
通信リンク管理方法であって、
ソース機器が異なる送信方向を使用して信号を送信し、前記信号の異なる送信方向の経路品質、および前記信号の受信方向に対応する経路品質が通信リンクの送信方向を確定することに用いられることと、
前記ソース機器が前記確定された送信方向に基づいて通信リンクを確立することとを含む、通信リンク管理方法。
【請求項１１】
前記ソース機器が異なる送信方向を使用して信号を送信した後、前記方法は、
前記ソース機器が第一の命令を受信し、前記命令が、経路品質が第一の閾値より高い送信方向の情報を指示することと、
前記第一の命令に指示された送信方向を使用して信号を送信することとをさらに含むことを特徴とする
請求項１０に記載の方法。
【請求項１２】
前記ソース機器が前記確定された送信方向に基づいて通信リンクを確立することは、前記ソース機器が以下の方式のうちの一つを使用して通信リンクを確立することを含み、
前記方式は、
第二の命令を受信し、前記第二の命令に指示された送信方向に基づいて通信リンクを確立すること、
合格経路リストを受信し、前記合格経路リストに基づいて合格経路を確定し、そして確定された合格経路の受信方向を使用して通信リンクを確立する命令を送信すること、
前記合格経路リストにおける合格経路を選択することに対する協議を開始し、前記合格経路リストに基づいて使用された合格経路を確定し、そして確定された合格経路の送信方向を使用して通信リンクを確立することであることを特徴とする
請求項１０に記載の方法。
【請求項１３】
現在の通信リンクの送信方向の経路品質が前記第一の閾値より低い、および／または現在の通信リンクの受信方向の経路品質が前記第二の閾値より低い場合、前記方法は、前記ソース機器が以下の方式のうちの一つを使用して通信リンクを再確立することをさらに含み、
前記方式は、
第四の命令を受信し、前記第四の命令に指示された送信方向に基づいて通信リンクを再確立すること、
合格経路リストを受信し、前記合格経路リストから現在の経路を削除し、そして前記合格経路リストから合格経路を選択し、選択された合格経路の受信方向を使用する第五の命令を送信すること、
合格経路リストを受信し、前記合格経路リストから現在の経路を削除し、前記合格経路リストにおける合格経路を選択することに対する協議を開始し、前記合格経路リストに使用された合格経路を確定し、確定された合格経路の送信方向を使用して通信リンクを確立することであることを特徴とする
請求項１０に記載の方法。
【請求項１４】
前記ソース機器が異なる送信方向を使用して信号を送信する方式は、
異なる送信方向をランダムに使用して信号を送信することと、
予め設定された順番に基づいて異なる送信方向を使用して信号を送信することと、
第六の命令を受信し、前記第六の命令に指示された第一の領域での信号の送信を継続することと、
第七の命令を受信し、前記第七の命令に指示された第二の領域での信号の送信を停止することと、
異なる送信方向の経路品質を受信し、経路品質が前記第一の閾値より高い送信方向の第五の領域を確定し、確定された第五の領域での信号の送信を継続し、予め設定された時間内に経路品質が前記第二の閾値より低い信号の受信方向に対応する第三の領域を確定し、そして前記第三の領域での信号の受信を継続する第八の命令を送信することと、
異なる送信方向の経路品質を受信し、経路品質が前記第一の閾値より低い送信方向の前記第六の領域を確定し、確定された第六の領域での信号の送信を継続し、予め設定された時間内に経路品質が前記第二の閾値より低い信号の受信方向に対応する第四の領域を確定し、そして前記第四の領域での信号の受信を停止する第九の命令を送信することとを含むことを特徴とする
請求項１０〜１３のいずれか１項に記載の方法。
【請求項１５】
シンク機器であって、
信号を受信するように構成される第一の通信ユニットと、
前記第一の通信ユニットにより受信された信号の異なる送信方向の経路品質および前記信号の受信方向に対応する経路品質に基づいて、通信リンクの送信方向および受信方向を確定するように構成される第一の確定ユニットと、
前記確定された送信方向および受信方向に基づいて通信リンクを確立するように構成される第一の確立ユニットとを含む、シンク機器。
【請求項１６】
前記第一の確定ユニットは、さらに受信された信号に対応する異なる送信方向のうちの経路品質が第一の閾値より高い送信方向を通信リンクの送信方向に確定し、そして前記経路品質が第一の閾値より高い送信方向に対応する受信方向のうちの、経路品質が第二の閾値より高い受信方向を通信リンクの受信方向に確定するように構成されることを特徴とする
請求項１５に記載のシンク機器。
【請求項１７】
ソース機器であって、
異なる送信方向を使用して信号を送信するように構成される第二の通信ユニットと、
前記信号の異なる送信方向の経路品質および前記信号の受信方向に対応する経路品質に基づいて、通信リンクの送信方向を確定するように構成される第二の確定ユニットと、
前記ソース機器が前記確定された送信方向に基づいて通信リンクを確立するように構成される第二の確立ユニットとを含む、ソース機器。
【請求項１８】
前記第二の通信ユニットは、さらに異なる送信方向を使用して信号を送信した後に第一の命令を受信するように構成され、前記第一の命令が、経路品質が第一の閾値より高い送信方向の情報を指示し、
前記第一の命令に指示された送信方向を使用して信号を送信するように構成されることを特徴とする
請求項１７に記載のソース機器。
【請求項１９】
コンピュータ記憶媒体であって、
請求項１〜９のいずれか１項に記載の通信リンク管理方法を実行するためのコンピュータ実行可能命令を記憶している、コンピュータ記憶媒体。
【請求項２０】
コンピュータ記憶媒体であって、
請求項１０〜１４のいずれか１項に記載の通信リンク管理方法を実行するためのコンピュータ実行可能命令を記憶している、コンピュータ記憶媒体。
【国際調査報告】
2017500783.tif 000017
2017500783.tif 000018
2017500783.tif 000019
2017500783.tif 000020